(57)【要約】 【課題】撮影時に、撮影前に決定した構図に撮影者を導いてから撮影が確実に行なわれる撮影装置が提供する。【解決手段】セルフ撮影モードが指定されたときには、スルー画から顔位置検出手段１８０で現在の顔位置を検出して、評価値算出手段１８１に予め設定された構図パターン中の顔の基準位置と現在の顔位置とを比較し評価値を算出する。その評価値に基づいてＣＰＵ１１０はＬＥＤ制御部１９０を制御して４つのＬＥＤ１９１〜１９４のいずれかを点灯させ、撮影者である被写体に移動する方向を視認させる。デジタルカメラが、４つのＬＥＤの方向指示によって、撮影者が予め設定された構図パターンに近づいたと判定したときに撮影を実行する。【選択図】図５
2009055449.tif 000002
【特許請求の範囲】
【請求項１】
被写体を表わす画像を生成する撮影装置において、
撮影画角内の人物の顔の基準位置を指定する構図指定手段と、
撮影画角内の人物の顔の現在位置を検出する顔位置検出手段と、
前記顔位置検出手段で検出された顔の現在位置が前記構図指定手段で指定された顔の基準位置に近づくように、被写体である人物に移動方向を視認させる方向指示手段とを備えたことを特徴とする撮影装置。
【請求項２】
前記方向指示手段は、前記顔位置検出手段により撮影画角内に顔が検出されない場合は、被写体である人物に、顔が検出されないことを視認させるものである請求項１記載の撮影装置。
【請求項３】
前記構図指定手段で指定された顔の基準位置と前記顔位置検出手段で検出された顔の現在位置との間の位置ずれの程度を表わす評価値を算出する評価値算出手段を備え、
前記方向指示手段は、前記評価値算出手段により算出された評価値が、前記顔位置検出手段で検出された顔の現在位置が前記構図設定手段で設定された顔の基準位置に、所定の基準値よりも近づいたことを表わす評価値に達した場合に、被写体である人物に、前記構図指定手段で指定された構図に達したことを視認させるものであることを特徴とする請求項１又は２記載の撮影装置。
【請求項４】
撮影操作後、前記評価値算出手段により算出された評価値が、前記顔位置検出手段で検出された顔の現在位置が前記構図設定手段で設定された顔の基準位置に所定の基準値よりも近づいたことを表わす評価値に達したことを受けて撮影を行なって、被写体を表わす撮影画像を生成する撮影手段を備えたことを特徴とする請求項１から３のうちのいずれか１項記載の撮影装置。
【請求項５】
撮影操作後、前記評価値算出手段により算出された評価値が、前記顔位置検出手段で検出された顔の現在位置が前記構図設定手段で設定された顔の基準位置に所定の基準値よりも近づいたことを表わす評価値に達した場合に所定の秒時を計時するタイマの作動を開始させ、該タイマのタイムアップを受けて撮影を行なって、被写体を表わす撮影画像を生成する撮影手段を備えたことを特徴とする請求項１から３のうちのいずれか１項記載の撮影装置。
【請求項６】
前記タイマを一旦作動させた後、前記評価値算出手段により算出された評価値が、前記顔位置検出手段で検出された顔の現在位置が前記構図設定手段で設定された顔の基準位置から所定の基準値よりも遠ざかったことを表わす評価値に戻ったときは該タイマの作動を停止してリセットし、前記評価値算出手段により算出された評価値が前記顔位置検出手段で検出された顔の現在位置が前記構図設定手段で設定された顔の基準位置に、所定の基準値よりも再び近づいたことを表わす評価値に達した場合に、該タイマの作動を改めて開始するものであることを特徴とする請求項５記載の撮影装置。
【請求項７】
前記方向指示手段は、ＬＥＤを備え、該ＬＥＤで被写体である人物の移動方向を示すものであることを特徴とする請求項１から６のうちのいずれか１項記載の撮影装置。
【発明の詳細な説明】
【技術分野】
【０００１】
本発明は、被写体を表わす画像を生成する撮影装置に関する。
【背景技術】
【０００２】
撮影装置を使って撮影を行なうときには、自分の方向に撮影レンズを向けて自分を撮影する場合がある。このような場合に撮影者の多くは、三脚等に撮影装置を固定しておいて、レリーズ釦を押してから所定秒時後に撮影が行なわれるセルフタイマ機能を利用して撮影装置に撮影を行なわせたり、リモコンを操作して撮影装置に撮影を行なわせたりする。
【０００３】
しかしながら、上記のようにして自分を撮影する場合には、被写体となっている撮影者がファインダを覗くことができないために撮影装置の撮影レンズが捉えている撮影画角を把握することができずに撮影に失敗してしまうことがある。
【０００４】
そこで、これを防止するために、被写体となっている人物の顔が、撮影レンズが捉えている撮影画角内の所定の位置に配置されるように音声を使ってナビゲートする技術が提案されている（例えば特許文献１参照）。また、撮影装置の中には、自動的に最適な構図になるように撮影装置自らが向きを変えて撮影するものもある（例えば特許文献２参照）。
【０００５】
しかし特許文献１のものは、被写体である撮影者が、カメラから発音される音声を聞いて頭で理解してから最適な位置に移動することになるため、移動する方向が分からなくなってしまったり、移動する方向はわかっていてもつい対応が遅れて移動中にシャッタが切られてしまったりする恐れがある。また仕向国ごとに言語を変更する必要がある。また、特許文献２のものは、撮影装置が自走して向きを変えるものであるためにそのための設備にかかるコストが高く、また装置も大型化してしまう恐れがある。また撮影する前に設定した構図とはかけ離れた構図で画像が撮影されてしまう恐れもある。
【特許文献１】特開２００６−２６９５５２号公報
【特許文献２】特開２００６−１９１５２４号公報
【発明の開示】
【発明が解決しようとする課題】
【０００６】
本発明は、上記事情に鑑み、撮影時に、撮影者の意図する構図になるように撮影者を導いてから撮影が行なわれる撮影装置を提供することを目的とする。
【課題を解決するための手段】
【０００７】
上記目的を達成する本発明の撮影装置は、被写体を表わす画像を生成する撮影装置において、
撮影画角内の人物の顔の基準位置を指定する構図指定手段と、
撮影画角内の人物の顔の現在位置を検出する顔位置検出手段と、
上記顔位置検出手段で検出された顔の現在位置が上記構図指定手段で指定された顔の基準位置に近づくように、被写体である人物に移動方向を視認させる方向指示手段とを備えたことを特徴とする。
【０００８】
上記本発明の撮影装置によれば、上記顔位置検出手段で検出された顔の現在位置が、撮影前に上記構図指定手段によって指定された顔の基準位置に近づくように、上記方向指示手段によって移動方向が撮影者に視認可能に指示される。
【０００９】
音声指示での場合は、被写体である撮影者の対応が遅れる恐れがあるという欠点があったが、本発明によれば上記方向指示手段によって視覚的に移動方向が瞬時のうちに伝えられるため、撮影者がすぐに対応して基準位置に即座に移動することが可能となる。また、視覚的な方向指示は万国共通であり、仕向先ごとに言語を切り替える等の必要がない。
【００１０】
また、本発明では、上記構図指示手段を備えているため、撮影画角内の人物の顔の基準位置を撮影者自らが予め指定することができ、このため撮影者の意図したとおりの構図での撮影が確実に行なわれる。
【００１１】
ここで、上記方向指示手段は、上記顔位置検出手段により撮影画角内に顔が検出されない場合は、被写体である人物に、顔が検出されないことを視認させるものであることが好ましい。
【００１２】
上記方向指示手段が、撮影画角内に顔が検出されないこと、つまりフレームアウトしていることを撮影者に視認させる構成であると、撮影画角内から外れてフレームアウトしていることを撮影者に的確に伝えて撮影者をフレームインする方向に導くことができる。
【００１３】
また、上記構図指定手段で指定された顔の基準位置と上記顔位置検出手段で検出された顔の現在位置との間の位置ずれの程度を表わす評価値を算出する評価値算出手段を備え、
上記方向指示手段は、上記評価値算出手段により算出された評価値が、上記顔位置検出手段で検出された顔の現在位置が上記構図設定手段で設定された顔の基準位置に、所定の基準値よりも近づいたことを表わす評価値に達した場合に、被写体である人物に、上記構図指定手段で指定された構図に達したことを視認させるものであると尚良い。
【００１４】
そうすると、被写体である撮影者は、上記方向指示手段の指示にしたがって立ち位置をいろいろと変えているときに上記方向指示手段の指示の変化を見て上記基準位置に達したことを瞬時のうちに知ることができる。
【００１５】
さらに、撮影操作後、上記評価値算出手段により算出された評価値が、上記顔位置検出手段で検出された顔の現在位置が上記構図設定手段で設定された顔の基準位置に所定の基準値よりも近づいたことを表わす評価値に達したことを受けて撮影を行なって、被写体を表わす撮影画像を生成する撮影手段を備えていることが好ましい。
【００１６】
そうすると、撮影者が上記方向指示手段の指示にしたがっていろいろと立ち位置を変え上記基準位置に達したときに撮影が行なわれることになるので撮影に失敗するということがほぼなくなる。
【００１７】
また、撮影操作後、上記評価値算出手段により算出された評価値が、上記顔位置検出手段で検出された顔の現在位置が上記構図設定手段で設定された顔の基準位置に所定の基準値よりも近づいたことを表わす評価値に達した場合に所定の秒時を計時するタイマの作動を開始させ、そのタイマのタイムアップを受けて撮影を行なって、被写体を表わす撮影画像を生成する撮影手段を備えていると良い。
【００１８】
そうすると、撮影者が上記所定の基準位置に近づいたことを上記方向指示手段の指示により認識した後、上記タイマが作動してそのタイマがタイムアップするまでの間に時間のゆとりができるので、被写体となる撮影者は顔の表情を整えてから撮影を受けることが可能となる。
【００１９】
ここで、上記タイマを一旦作動させた後、上記評価値算出手段により算出された評価値が、上記顔位置検出手段で検出された顔の現在位置が上記構図設定手段で設定された顔の基準位置から所定の基準値よりも遠ざかったことを表わす評価値に戻ったときは、そのタイマの作動を停止してリセットし、上記評価値算出手段により算出された評価値が上記顔位置検出手段で検出された顔の現在位置が上記構図設定手段で設定された顔の基準位置に、所定の基準値よりも再び近づいたことを表わす評価値に達した場合に、そのタイマの作動を改めて開始するものであることが好ましい。
【００２０】
そうすると、被写体である撮影者がいろいろと立ち位置を変えているときに上記方向指示手段の指示をつい見忘れて動いてしまって上記基準位置から外れてしまうようなことが起きたとしてもタイマの作動が停止され基準位置から外れた状態で撮影が行なわれることがなくなる。さらに、撮影者が上記方向指示手段の指示を見て再び上記基準位置に近づいた後にそのタイマの作動が改めて開始されるので、基準位置に達してから撮影が確実に行なわれるようになって撮影の失敗がほぼなくなる。
【００２１】
ここで、上記方向指示手段は、ＬＥＤを備え、そのＬＥＤで被写体である人物の移動方向を示すものであることが好ましい。
【００２２】
例えば上記方向指示手段が上記ＬＥＤを備えていると、ＬＥＤの配置等に工夫を凝らすことで、撮影者に方向を時間をかけずに瞬時のうちに視覚的に伝達することが可能となる。ＬＥＤは比較的廉価であるので、低廉な方向支持手段を製作することが可能となる。
【発明の効果】
【００２３】
以上、説明したように、撮影時に、撮影者の意図する構図になるように撮影者を導いてから撮影が行なわれる撮影装置が実現する。
【発明を実施するための最良の形態】
【００２４】
以下図面を参照して本発明の実施の形態を説明する。
【００２５】
図１は、本発明の撮影装置の一実施形態であるデジタルカメラを示す図である。
【００２６】
図１には本発明の一実施形態であるデジタルカメラ１００の斜視図が示されている。図１（ａ）には正面上方から見た斜視図が示されており、図１（ｂ）には背面上方から見た斜視図が示されている。
【００２７】
図１（ａ）に示すように、本実施形態のデジタルカメラ１００のボディ中央には撮影レンズ１７００が内蔵されたレンズ鏡胴１７０が備えられており、そのレンズ鏡胴１７０の上方にはファインダ１０５が備えられている。またそのファインダ１０５の脇には撮影補助光発光窓１６１が備えられている。
【００２８】
また詳細は後述するが、本実施形態のデジタルカメラ１００には、セルフ撮影モードが搭載されており、撮影者によって上記セルフ撮影モードが指定されたときには、予め複数種類の構図パターンが図１（ｂ）に示す表示画面１５０上に表示され、その中から十字キー１０１ｂの操作等によりセルフ撮影時の構図パターンを撮影前に設定することができる構成になっている。
【００２９】
このため、その設定された構図パターンにあう位置に被写体となる撮影者を導くことができるように、被写体となる撮影者がこのデジタルカメラ１００を正面から見たときにその撮影者に動く方向を指示することができる位置に、それぞれ、ＬＥＤ１９１〜１９４が４つ設けられている。セルフモード撮影が指定されているときに被写体側の撮影者は、これらの４つのＬＥＤ１９１〜１９４のうちのいずれかの点灯を見てその方向に動くことでセルフ撮影におけるベストポジションに位置することができる。
【００３０】
また、図１（ｂ）に示すように本実施形態のデジタルカメラ１００の背面および上面にはユーザがこのデジタルカメラ１００を使用するときにいろいろな操作を行うための操作子群１０１が備えられている。
【００３１】
この操作子群１０１の中にはデジタルカメラ１００を作動させるための電源スイッチ１０１ａのほか、上記した十字キー１０１ｂ、メニュー／ＯＫキー１０１ｃ、キャンセルキー１０１ｄ、モードレバー１０１ｅ、ズームスイッチ１０１ｆなどがある。
【００３２】
これらの操作子群１０１の中のメニュー／ＯＫキー１０１ｃが操作されると、各種撮影モードが表示画面上に表示される。その中には上記セルフ撮影モードなどがあり、そのセルフ撮影モードが十字キー１０１ｃの操作等により設定されると、撮影画角内の顔の基準位置を指定するための複数種類の構図パターンが表示される構成になっている。その構図パターンの設定が行なわれた後にセルフ撮影モードが起動される構成になっている。
【００３３】
また操作子群の中のモードレバー１０１ｅによっては、再生モードと撮影モードの切替や撮影モードの中でさらに動画モード、静止画モードの切替が行なわれる。上記モードレバー１０１ｅが撮影モードに切り替えられた状態にあるときに電源スイッチ１０１ａが投入されると表示画面１５０上にスルー画が表示されて、そのスルー画を見ながらシャッタチャンスにレリーズ釦１０２が押されて被写体の撮影が行なわれる。なお上記モードレバー１０１ｅが再生側に切り替えられた状態にあるときには既撮影画像が表示画面１５０上に再生表示される。また本実施形態のレリーズ釦１０２は半押しと全押しの二つの操作態様を有するものである。
【００３４】
図２は、図１のデジタルカメラ１００内部の電気系統の構成ブロック図である。
【００３５】
図２を参照してこのデジタルカメラ１００の内部の構成および動作を簡単に説明する。
【００３６】
本実施形態のデジタルカメラ１００ではすべての処理がＣＰＵ１１０によって統括的に制御されている。
【００３７】
ＣＰＵ１１０の入力部には図１（ｂ）に示した操作子群１０１からの操作信号がそれぞれ供給されていてそれらの操作信号のうちの少なくとも一つが供給されてくると操作信号に応じた処理が適宜ＣＰＵ１１０によって実行される。なお、なお図２には、レリーズ釦１０２と図１の操作子群１０１のうちのモードレバー１０１ｅのみが示されている。
【００３８】
またＣＰＵ１１０には内部にプログラムメモリであるＲＯＭ（不図示）が備えられており、そのＲＯＭ内にはこのデジタルカメラ１００が撮影装置として動作するために必要なプログラムが書き込まれている。このＲＯＭ内のプログラムは電源スイッチ１０１ａがオフになっているときにも走っており、電源スイッチ１０１ａの投入を待ち受けている。この待ち受け状態にあるときに操作子群１０１の中の電源スイッチ１０１ａ（図１参照）が投入されると電源スイッチ１０１ａが投入されたことがＣＰＵ１１０によって検知され、ＲＯＭ内のプログラムの手順にしたがってこのデジタルカメラ全体の動作を制御する処理が開始される。なお、ＣＰＵ１１０には不図示の電池からから常に電力が供給されている。
【００３９】
ここで操作子群１０１の中の電源スイッチ１０１ａ（図１参照）が投入された後のデジタルカメラ１００の動作を、図２を参照して説明する。
【００４０】
モードレバー１０１ｅが撮影モード側に切り替えられていた場合には、画像表示装置１５が備える表示画面１５０（図１参照）上にスルー画の表示が行なわれるので、まずスルー画を表示するときの処理を説明し、その後レリーズ釦１０２の押下を受けて行なわれる撮影処理を説明する。
【００４１】
まずスルー画を表示画面１５０上に表示するときの処理を説明する。
【００４２】
操作子群１０１の中の電源スイッチ１０１ａが投入されＣＰＵ１１０によりそのことが検知されると、電池（不図示）と各部との接断を担うスイッチ（不図示）が接続され電池からの電力が各部に供給される。電源スイッチ１０１ａが投入されたときにモードレバー１０１ｅが撮影モードに切り替えられていた場合には、ＣＰＵ１１０の制御の下にタイミングジェネレータ１１１からＣＣＤ１２０に向けて所定の間隔ごとに電子シャッタが設定され電子シャッタのオフタイミングでＣＣＤ１２０から所定の間隔ごとに画像がＣＤＳＡＭＰ１２１に出力される。このときにはＣＣＤ１２０の全画素が用いられずに、画素がある程度間引かれ間引かれた画素数からなる画像（以降スルー画という）がＣＤＳＡＭＰ１２１に出力される。
【００４３】
なお、図２の左側に示す様にレンズ鏡胴１７０内の撮影光学系１７００にはズームレンズ１７０１、小絞りと開放絞りとを備えた絞り板１７０２、フォーカスレンズ１７０３が備えられており、そのフォーカスレンズ１７０３は、後述するＡＦ検出部１３０の検出結果を受けたＣＰＵ１１０からの指示に応じてモータドライバ１１２により駆動されて合焦位置に常に配置される構成になっており、またズームレンズ１７０１はズームスイッチ１０１ｆ（図１参照）の操作を受けたＣＰＵ１１０からの指示に応じてモータドライバ１１４によりそのズームスイッチ１０１ｆの操作位置に応じた位置に配置される構成になっており、絞り板１７０２は、後述するＡＥ＆ＡＷＢ検出部１３１の検出結果を受けたＣＰＵ１１０からの指示に応じて、モータドライバ１１３の駆動により小絞り又は開放絞りのいずれかが光軸に配置される構成になっている。このため、ＣＣＤ１２０には、レンズ鏡胴１７０内の撮影光学系１７００が捉えている被写体にピントがあうととともに露出が調整された画像が結像され、その画像に基づいたスルー画がＣＤＳＡＭＰ１２１へと出力されることとなる。
【００４４】
そのＣＤＳＡＭＰ１２１ではスルー画に乗っているノイズの低減処理が行なわれ、Ａ／Ｄ変換部１２２ではそのＣＤＳＡＭＰ１２１から出力されたアナログ信号のスルー画を受けてアナログ信号のスルー画からデジタル信号のスルー画への変換処理が行なわれる。そのデジタル信号のスルー画が画像入力コントローラ１２３によりバスｂｕｓ側に導かれてバスｂｕｓを介してメモリ（ＳＤＲＡＭ）１２４に一旦記録される。
【００４５】
このメモリ１２４にスルー画が一旦記憶されたら、今度は画像信号処理部１２５がメモリ１２４内のスルー画を読み出して画像処理を開始する。画像信号処理部１２５には、色分離部やＹＣ変換部などがあり、色分離部では画像が赤（Ｒ）、緑（Ｇ）、青（Ｂ）の各色信号に分離され、ＹＣ変換部ではそれらの各色信号が色変換行列によってＹＣＣ信号に変換されて画像処理が行なわれた後のスルー画が表示バッファであるＶＲＡＭ１２６に供給される。このＶＲＡＭ１２６には、２フレーム（Ａ，Ｂ）分の記憶領域があり、各領域にそれぞれ１フレームづつのスルー画が記憶されるようになっている。まず、この２フレーム分の画像のうちの領域Ａの画像がＶｉｄｅＥｎｃｏｄｅｒ１２７に供給され画像表示装置１５が備える表示画面１５０上に表示される。この後所定の時間が経過したら今度はこの２フレーム分の画像のうちの領域Ｂの画像がＶｉｄｅＥｎｃｏｄｅｒ１２７に供給され画像表示装置１５が備える表示画面１５０上に表示される。この間にＶＲＡＭ１２６の領域Ａ内の画像が領域Ｂに記憶されていたフレームの次の時刻のフレームの画像に更新され、次々にその更新されたスルー画が画像表示装置１５に供給されていってスルー画が所定の間隔ごとに切り替えられて表示画面１５０上に表示される。
【００４６】
また、メモリ１２４内のスルー画は、ＣＰＵ１１０の制御の下にＡＦ検出部１３０およびＡＥ＆ＡＷＢ検出部１３１にも供給され、双方の検出部１３０，１３１で各色信号を用いて積算処理が行なわれる。ＡＦ検出部１３０では、主要被写体と背景との間のコントラストが検出されそのコントラストから合焦位置が検出される。またＡＥ＆ＡＷＢ検出部１３１では、各色信号に基づいて輝度が検出され露出調整が行なわれると共に、各色信号が積算処理されホワイトバランスが調整される。このため、前述した様にスルー画はいつでもピントが調整され、露出およびホワイトバランスが調整された鮮明なカラー画像になる。
【００４７】
ここで、その表示画面１５０上にスルー画が表示されているときにそのスルー画に応じてレリーズ釦１０２が半押しされると、デジタルカメラ内部のＣＰＵの管理の下に撮影処理が開始される。なお図２には、半押しと全押しの２つのスイッチが示されており、半押し側のスイッチには符号Ｓ１が付され、全押し側のスイッチには符号Ｓ２が付されている。周知の通り、レリーズスイッチ１０２が押しこまれるにしたがって半押し側のスイッチＳ１、全押し側のスイッチＳ２が順次接続される構成になっている。
【００４８】
レリーズ釦１０２が半押しされたことを受けてＣＰＵ１１０は、ＡＦ検出部１３０とＡＥ＆ＡＷＢ検出部１３１にＡＥ処理とＡＦ処理を実行させる。このときにはＡＦ検出部１３０の検出結果に応じてはＣＰＵ１１０が、モータドライバ１１２に指示してフォーカスレンズ１７０３を合焦位置に移動させ、ＡＥ＆ＡＷＢ検出部１３１の検出結果に応じてはＣＰＵ１１０がモータドライバ１１３に指示して小絞り又は開放絞りのいずれかを光軸に位置させるように絞り板１７０２を駆動させるとともに、ＣＰＵ１１０はタイミングジェネレータ１１１にＡＥ値に応じた電子シャッタを設定する。
【００４９】
さらに、レリーズボタン１０２が全押しされると、ＣＰＵはタイミングジェネレータ１１１を制御してＣＣＤ１２０に電子シャッタを設定させて所定のシャッタ秒時の間露光を行なわせ電子シャッタのオフタイミングでＣＣＤ１２０からＣＤＳＡＭＰ１２１へ本画像（全画素）を出力させる。
【００５０】
その後、ＡＤ変換部１２２でアナログの画像からデジタルの画像への変換が行なわれたら、画像入力コントローラ１２３の制御の下にデジタル信号に変換された画像がバスｂｕｓ側に導かれメモリ１２４に一旦記憶される。その後、画像信号処理部１２５が、メモリ１２４内の画像を読み出し画像処理を行なって再度メモリ１２４に記憶する。その後圧縮処理部１２８が、メモリ１２４内の画像を読み出して圧縮処理を行なう。ＣＰＵ１１０が、圧縮処理の終了を圧縮処理部１２８内のフラグ等の書き換わり等により検知したら、圧縮情報とともに圧縮された画像データを画像ファイルにしてメディアＣｏｎｔｒｏｌｌｅｒ１２９を介して記録メディア１６０に記録する。本実施形態のデジタルカメラは、以上のような構成を持つ。
【００５１】
ところで、本実施形態のデジタルカメラ１００には上記課題を達成するために顔位置検出手段１８０と評価値算出手段１８１が設けられている。前述のセルフ撮影モードが設定されたときにはスルー画からその顔位置検出手段１８０によって顔の現在位置が検出され検出された顔の現在位置情報が後段の評価値算出手段１８１に供給される構成になっている。評価値算出手段１８１には、内部にメモリ（不図示）が備えられており、その内部のメモリには図３の５つの構図パターンの中から操作により指定された構図パターン中の顔の基準位置が記憶されていて評価値算出手段１８１では、顔位置検出手段１８０で検出されている顔の現在位置と上記基準位置とが比較されて顔の位置のずれの程度を表わす評価値が算出される。ＣＰＵ１１０は、この評価値をバスｂｕｓを介して受け取ってＬＥＤ制御部１９０を制御してＬＥＤ１９１〜１９４のいずれかを点灯させる。
【００５２】
つまり、本実施形態においては、本発明にいう構図指定手段の一例が、ＶｉｄｅｏＥｎｃｏｄｅｒ１２７と画像表示装置１５と操作子群１０１とＣＰＵ１１０とで構成され、また、方向指示手段の一例が、評価値算出手段１８１とＣＰＵ１１０とＬＥＤ制御部１９０と４つのＬＥＤ１９１〜１９４とで構成されている。
【００５３】
ここで、撮影前に被写体となる撮影者によって設定される構図指定手段の機能を説明する。
【００５４】
図３は、構図指定手段の機能を説明する図である。
【００５５】
上記した様に、構図指定手段は、ＶｉｄｅｏＥｎｃｏｄｅｒ１２７と画像表示装置１５と操作子群１０１とＣＰＵ１１０とで構成されている。
【００５６】
図３には、その構図指定手段の一部を構成する画像表示装置１５が備える表示画面１５０上に表示される、撮影画角内の人物の顔の基準位置を指定するための５つの構図パターン例とその５つの構図パターン構図からいずれかを選択するための操作子群の中の十字キー１０１ｂとメニュー／ＯＫキー１０１ｃとが示されている。なお、図３は、位置関係のみを示す模式図であるので、位置関係が分かるようにズームスイッチ１０１ｆも示されている。図３の５つそれぞれのパターン中には顔の位置が２重線の四角で示されている。
【００５７】
被写体となる撮影者によって撮影の前に図３の５つのパターンのうちのいずれかが、操作子群の中の十字キー１０１ｂやメニューＯＫキー１０１ｃ等の操作で指定されるとそのパターンが指定されたことを受けてＣＰＵ１１０は、指定されたパターン中の顔の基準位置を評価値算出手段１８１内のメモリ（図４参照）に設定する。
【００５８】
こうしてセルフ撮影モードの撮影処理を実行する前の前処理が終了すると、ＣＰＵ１１０の管理の下に本処理が開始される。
【００５９】
図４は、セルフ撮影モードにおける本処理の処理を説明する処理系統図である。
【００６０】
図４には、図２のブロック図の中からセルフ撮影モードの処理に係わる部分のみが抽出されている。
【００６１】
ＣＰＵ１１０の管理の下に本処理が開始されると、ＣＣＤ１２０から画素が間引かれて出力されているスルー画から顔位置検出手段１８０によって現在の顔位置が検出され、評価値算出手段１８１によって、現在の顔位置と評価値算出手段１８１が備えるメモリ１８１０内の顔の規準位置とが比較され位置ずれの程度を表わす評価値が評価値算出手段１８１によって算出される。この評価値をＣＰＵ１１０が受け取って、ＣＰＵ１１０はＬＥＤ制御部１９０を制御して４つのＬＥＤ１９１〜１９４のいずれかを点灯させることにより被写体である撮影者に設定された構図パターンの顔位置に近づくように移動方向を視認させることになる。
【００６２】
前述した様に、従来においては音声で移動方向を指示していたために音声を聞いて頭で理解してから動いていたために対応が遅れてしまったり、動く方向が分からなくなったりすることがあったが、本発明においてはＬＥＤ１９１〜１９４のいずれかの点灯により視覚的に移動方向が指示されるので被写体である撮影者は瞬時のうちに動く方向を把握して即座に移動することができ、また予め設定した構図パターン中の顔の基準位置に移動することになるので、撮影者の意図した構図どおりの撮影を行なうことができる。さらには、音声の場合には仕向け先によって言語を変更しなければならなかったが、上記構成によればその必要がなくなる。
【００６３】
図５は、セルフ撮影モードにおける撮影処理を説明するフローチャートである。
【００６４】
図５には、図３に示す５つの構図パターンのうちのいずれかが操作子群の中の十字キー等の操作により設定された後に開始される本処理のフローが示されている。なおＣＰＵ１１０は、スーパバイザ的なものであって各ステップの処理は、ＣＰＵだけではなく各部で主体的に行なわれるので、ステップごとにそれぞれ主語を付して説明する。
【００６５】
ステップＳ５０１で、ＣＰＵ１１０はレリーズボタン１０２が押下されたかどうかを判定する。ここで、ＣＰＵ１１０はレリーズボタン１０２が押下されていないと判定したらＮｏ側へ進んでステップＳ５０１の処理を繰り返す。ステップＳ５０１でＣＰＵ１１０が、レリーズボタン１０２が押下されたと判定したら、Ｙｅｓ側へ進んでステップＳ５０２で顔位置検出手段１８０および評価値算出手段１８１をアクティブ状態にしてそれぞれにスルー画像中の顔位置の検出および予め設定された基準位置との位置ずれの解析を開始させる。
【００６６】
ステップＳ５０３で、顔位置検出手段１８０から顔の位置を検出しないという報告をうけたときにＣＰＵ１１０は、ステップＳ５０２に戻ってステップＳ５０２の処理を繰り返す。
【００６７】
ステップＳ５０３で顔位置検出手段１８０が顔の位置を検出したときにはＹｅｓ側へ進んでステップＳ５０４で、評価値算出手段１８１が、評価値算出手段１８１からの顔の現在の位置を表わす情報を受け取って現在の顔の位置とメモリ１８１０内の顔の規準位置との間のずれ量を表わす評価値を算出する。
【００６８】
次のステップＳ５０５でＣＰＵ１１０は、まずＬＥＤ制御部１９０に指示してＬＥＤ１９１〜１９４を全消灯させて、ステップＳ５０６でＣＰＵ１１０は、評価値算出手段１８１からの評価値を受け取ってその評価値が表わす位置ずれと所定の基準値とを比較する。なお、上記評価値には、ずれ量の他に、例えば最下位側、あるいは最上位側の２ビットが方向性を示すサインビットに割り当てられていて、左右上下何れの方向にずれているかがそれらの２ビットの符号の状態により示されているとする。
【００６９】
ステップＳ５０６で、ＣＰＵ１１０は、評価値が所定の基準値以下であると判定したらＮｏ側へ進んでステップＳ５０７でタイミングジェネレータに電子シャッタを設定して撮影処理を実行させる。次のステップＳ５０８でセルフモードが解除されているかどうかを判定してセルフモード撮影が解除されていないと判定したらステップＳ５０１に戻ってステップＳ５０１からステップＳ５０８までのフローの処理を繰り返す。
【００７０】
ステップＳ５０８でセルフモード撮影処理が解除されていると判定したらＹｅｓ側へ進んでセルフ撮影モードから抜ける。
【００７１】
また、ステップＳ５０６で位置のずれ量が所定の基準値よりも大きいと判定したらＹｅｓ側へ進んで、ステップＳ５０９からステップＳ５１２までの処理を実行する。
【００７２】
ステップＳ５０９でＣＰＵ１１０が、ずれ量を表わす評価値が左ずれであると判定したらＬＥＤ制御部１９０（図２参照）に指示して４つのＬＥＤ１９１〜１９４のうちのＬＥＤ１９２（図１参照）を点灯させ、右ずれであると判定したらＬＥＤ制御部１９０に指示して４つのＬＥＤのうちのＬＥＤ１９４を点灯させ、ずれ量を表わす評価値が上ずれであると判定したらＬＥＤ制御部１９０に指示して４つのＬＥＤのうちのＬＥＤ１９３を点灯させ、右ずれであると判定したらＬＥＤ制御部に指示して４つのＬＥＤのうちのＬＥＤ１９１を点灯させる。ステップＳ５０９とステップＳ５１３、又はステップＳ５１０とステップＳ５１４、ステップＳ５１１とステップＳ５１５、ステップＳ５１２とステップＳ５１６のうちのいずれかの処理を実行したらステップＳ５１７で一定時間ウエイティング処理を行なって所定の時間が経過したらステップＳ５０２に戻ってステップＳ５０２からステップＳ５１７までの処理を繰り返す。処理を繰り返しているときに途中のステップＳ５０６でＣＰＵ１１０が、評価値が表わすずれ量が所定の基準値よりも小さくなったと判定したらステップＳ５０７へ進んでステップＳ５０７でタイミングジェネレータ１１１に指示してＣＣＤ１２０に電子シャッタを設定させて撮影処理を開始する。撮影処理が終了したら次のステップＳ５０８でセルフ撮影モードが解除されているかどうかを判定して、ステップＳ５０８でセルフ撮影モードが解除されていないと判定したら、ステップＳ５０２に戻ってステップＳ５０２からステップＳ５１７までの処理を繰り返し、ステップＳ５０８でセルフ撮影モードが解除されていると判定したらセルフ撮影モードから抜ける。
【００７３】
この例では、本発明にいう撮影手段の一例が、ＣＰＵ１２０とタイミングジェネレータ１１１とＣＣＤ１２０で構成されている。
【００７４】
こうして図５のフローの処理がＣＰＵ１１０を含む各部によって実行されると、位置のずれ量を表わす評価値が所定の基準値以下になったときに上記撮影手段によって撮影が自動的に行なわれることになるので、撮影の失敗がほぼなくなる。
【００７５】
なお上記実施形態では、ステップＳ５０１でレリーズボタン１０２が押された後、ずれ量を表わす評価値が所定の基準値に達したときに撮影が行なわれる構成になっているが、セルフ撮影モードが指定され撮影処理が行なわれているときに方向指示手段の一部を構成する４つのＬＥＤ１９１〜１９４のうちのいずれかの点灯によって方向が指示されて所定の基準値以内に達したときには例えば全ＬＥＤを全点灯させる等して基準値に達したことを撮影者に通知する構成にして撮影者にリモコンを操作させることによりデジタルカメラに撮影を行なわせる構成にしても良い。
【００７６】
以上説明した様に、撮影時に、撮影者の意図する構図になるように撮影者を導いてから撮影が行なわれる撮影装置が実現する。
【００７７】
ここで、人によっては、上記４つのＬＥＤのうちのいずれかの点灯の指示を勘違いしてしまって、誤った方向に動いてフレームアウトしてしまう人もいる。
【００７８】
そこで、フレームアウトした場合にはフレームアウトしたことを４つのＬＥＤ１９１〜１９４の点灯状態を変化させることで被写体となる撮影者に視認させる構成にして撮影者をフレームインする方向に導く構成にしておくと尚良い。
【００７９】
図６は、フレームアウトしたことを撮影者に通知するステップＳ５０３１を付加した場合のフローの処理を説明するフローチャートである。
【００８０】
図６のフローは、ステップＳ５０３の後にステップＳ５０３１の処理が追加されている以外は、図５のフローと同じである。なお図６中には、図５のステップＳ５０４からステップＳ５１７までの処理を一括して処理ブロックＡと記載してある。
【００８１】
ステップＳ５０３で顔位置検出手段１８０が顔を検出したときには、顔位置検出手段１８０からの検出結果を受けてＣＰＵ１１０が、ステップＳ５０３１で４つのＬＥＤ１９１〜１９４をすべて点灯させてフレームアウトしたことを撮影者に視認させる構成に変更してある。
【００８２】
このような構成にすると、フレームアウトしたことが４つのＬＥＤ１９１〜１９４の全点灯により撮影者に伝えられ、４つのＬＥＤ１９１〜１９４の全点灯がいずれかの点灯に変わる方向に撮影者を移動させることで撮影者に移動方向を分かり易く指示することが可能となる。
【００８３】
図７は、ステップＳ５０３１の処理を４つのＬＥＤを全点灯させる処理から全消灯させる処理に変更した場合の例を示すフローチャートである。
【００８４】
ステップＳ５０３１Ａでフレームアウトしたときに４つのＬＥＤ１９１〜１９４を全て消灯させても良い。
【００８５】
ところで、上記のようにステップＳ５０６で予め設定された顔の基準位置とのずれ量を表わす評価値が所定の基準値に達したときにステップＳ５０７へ進んでいきなり撮影が行なわれると、被写体となる撮影者に表情を作る暇が与えられずに強張った表情で撮影が行なわれてしまう場合が多い。
【００８６】
そこで、ステップＳ５０６で予め設定された顔の基準位置とのずれ量を表わす評価値が所定の基準値に達したときにステップＳ５０６１でセルフタイマを作動させてタイムアップ後にステップＳ５０７へ進んで撮影を行なうようにして撮影者に顔の表情を作るゆとりを与える構成にすると良い。
【００８７】
図８は、セルフタイマを作動させるステップＳ５０６１を付加した場合の撮影処理を説明するフローチャートである。
【００８８】
ステップＳ５０６で位置のずれ量を表わす評価値が所定の基準値以下になったと判定したらステップＳ５０６１へ進んでステップＳ５０６１でタイマを作動させる。ステップＳ５０６２でタイマの経過時間と設定時間とを比較して設定時間に達していないと判定したら、ステップＳ５０６３へ進み、ステップＳ５０６３でＬＥＤが現在点灯しているかどうかを判定する。このステップＳ５０６３でと点灯していると判定したらＹｅｓ側へ進んでステップＳ５０６４で４つのＬＥＤをすべて消灯させてステップＳ５０６６へ進んで所定の時間経過後にステップＳ５０６２に戻る。このときにまだ設定時間に達さずにタイムアップしていないと判定したらステップＳ５０６３へ進んでステップＳ５０６３で現在点灯しているかどうかを判定する。先のステップＳ５０６４ですべて消灯させたのでＮｏ側へ進んでステップＳ５０６５で４つのＬＥＤを点灯させてステップＳ５０６６へ進んで時間の経過を待ってステップＳ５０６２に戻り、以降ステップＳ５０６２からステップＳ５０６６までの処理を繰り返す。つまりステップＳ５０６２からステップＳ５０６６でタイマ作動中には４つのＬＥＤ１９１〜１９４を一斉に点滅させて、ステップＳ５０６２で設定時間になってタイムアップしたと判定したらＮｏ側へ進んでステップＳ５０７でＣＰＵ１１１はタイミングジェネレータ１１１に指示してＣＣＤ１２０に電子シャッタを設定させることにより撮影を実行させる。そして撮影が終了したらステップＳ５０８でセルフ撮影モードが解除されていないと判定したらステップＳ５０１に戻ってステップＳ５０２からの処理を繰り返し、セルフ撮影モードが解除されたと判定したらステップＳ５０８へ進んでセルフ撮影モードを抜けてこのフローの処理を終了する。
【００８９】
図８の構成にすると、タイマ作動中に４つのＬＥＤ１９１〜１９４が点滅してタイマが作動していることが撮影者に通知されるので、撮影者は、４つのＬＥＤ１９１〜１９４の点滅を見ているときに顔の表情をゆっくりと整えてから撮影に臨むことができる。
【００９０】
また、上記実施形態では、セルフタイマの作動中には方向の指示が行なわれずに４つのＬＥＤが点滅表示になるので、被写体となる撮影者が誤って所定の基準位置から動いて撮影画角外に出てしまうことが想定される。そこで、被写体となる撮影者がセルフタイマ作動中に誤って基準位置から外れてしまったときにはタイマを停止してリセットする構成にし、再度被写体である撮影者が基準位置に近づいたときにはタイマを改めて作動させる構成にしておくと良い。
【００９１】
図９は、図８の処理にタイマストップの処理ステップＳ５０３２、ステップＳ５０６８を付加して改良を加えた場合の処理を説明する図である。図８のフローの処理とほぼ同じであるが、タイマストップの処理を追加したのでタイマを改めて作動させるステップが付加され、ステップＳ５０６６のウエイティング処理が終了した後、ステップＳ５０６２に戻さずに、ステップＳ５０２の処理に戻してタイマストップのステップＳ５０３２、Ｓ５０６８の処理を有効になるようにしている。さらに図８のステップＳ５０５の処理を、タイマが作動していているときには４つのＬＥＤ１９１〜１９４が点滅することを考慮して、ステップＳ５０６の後の位置（ステップＳ５０６２）に挿入して、４つのＬＥＤ１９１〜１９４を消灯させることでタイマストップを被写体である撮影者に視認させる構成に変更している。
【００９２】
図９を参照して処理を簡単に説明する。
【００９３】
ステップＳ５０１で、ＣＰＵ１１０はレリーズボタン１０２が押下されたかどうかを判定する。ここで、ＣＰＵ１１０はレリーズボタン１０２が押下されていないと判定したらＮｏ側へ進んでステップＳ５０１の処理を繰り返す。ステップＳ５０１でＣＰＵ１１０が、レリーズボタン１０２が押下されたと判定したら、Ｙｅｓ側へ進んでステップＳ５０２で顔位置検出手段１８０および評価値算出手段１８１をアクティブ状態にしてそれぞれにスルー画像中の顔位置の検出および予め設定された基準位置との位置ずれの解析を開始させる。
【００９４】
ステップＳ５０３で、顔位置検出手段１８０が顔の位置を検出しないときには、ステップＳ５０３２へ進む。本実施形態では、一旦ステップＳ５０６で所定の基準値よりも小さくなったことを受けてステップＳ６０６１２てタイマを作動させている場合があるのでタイマを作動させているときにはこのステップＳ５０３２でタイマをストップさせてステップＳ５０２に戻ってステップＳ５０２の処理を繰り返す。
【００９５】
ステップＳ５０３で顔位置検出手段１８０が顔の位置を検出したときにはＹｅｓ側へ進んでステップＳ５０４で、評価値算出手段１８１が、顔位置検出手段１８０からの顔の現在の位置を表わす情報を受け取って現在の顔の位置とメモリ内の顔の規準位置との間のずれ量を表わす評価値を算出する。
【００９６】
ステップＳ５０６でＣＰＵ１１０は、評価値算出手段１８１からの評価値を受け取ってその評価値が表わす位置ずれと所定の基準値とを比較する。ステップＳ５０６で、ＣＰＵ１１０は、評価値が所定の基準値よりも小さいと判定したらＮｏ側へ進んでステップＳ５０６１１でタイマが作動しているかどうかを判定し、タイマが作動していないと判定した場合にはＮｏ側へ進んでステップＳ５０６１２でタイマを改めて作動させ、ステップＳ５０６１でタイマが作動していると判定したらステップＳ５０６１２をスキップしてステップＳ５０６２へ進む。ステップＳ５０６２で、タイマの経過時間が設定時間を越えたかどうかを判定し、超えていないと判定したらＹｅｓ側へ進んで、ステップＳ５０６３で４つのＬＥＤ１９１〜１９４が現在点灯しているかどうかを判定し、点灯していると判定したらステップＳ５０６４へ進んでステップＳ５０６４で４つのＬＥＤ１９１〜１９４をすべて消灯させることにより４つのＬＥＤを点滅させてタイマが作動していることを被写体である撮影者に視認させる。次のステップＳ５０６６へ進んでステップＳ５０６６で所定の時間の経過を待って、ステップＳ５０２に戻ってステップＳ５０２からステップＳ５０６６までの処理を繰り返す。以降ステップＳ５０２からステップＳ５０６までの処理を経てステップＳ５０６で位置ずれを表わす評価値が所定の基準値よりも小さいと判定してステップＳ５０６１へ進む。ステップＳ５０６１でタイマが作動していないと判定したらＮｏ側へ進んでステップＳ５０６１２でタイマを改め作動させてステップＳ５０６２でタイマの経過時間が設定時間を越えたかどうかを判定し、ステップＳ５０６１でタイマが作動していると判定したらステップＳ５０６１２をスキップしてステップＳ５０６２でタイマの経過時間が設定時間を越えたかどうかを判定する。このステップＳ５０６１２で経過時間が所定の経過時間を越えたと判定したらＮｏ側へ進んでステップＳ５０７でタイミングジェネレータ１１１に指示して電子シャッタをＣＣＤ１２０に設定させることにより撮影処理を実行させて、ステップＳ５０８でセルフ撮影モードが解除されたかどうかを判定し解除されていないと判定したらステップＳ５０１に戻ってステップＳ５０１からの処理を繰り返し実行し、ステップＳ５０８でセルフ撮影モードが解除されたと判定したらセルフ撮影モードから抜ける。
【００９７】
また、ステップＳ５０２〜ステップＳ５０６６までの処理を繰り返しているときに、ステップＳ５０６で一旦基準値に近い位置に近づいた被写体である撮影者がその位置から遠ざかったと判定したらステップＳ５０６７へ進んで４つのＬＥＤをすべて消灯させてステップＳ５０６８でタイマを止めて図５のステップＳ５０７からステップＳ５１７までの処理を実行して４つのＬＥＤを使って被写体である撮影者に移動方向を視認させる。ステップＳ５０６で方向指示により予め設定された顔の基準位置との位置ずれを表わす評価値が所定の基準値よりも再び小さくなったと判定したら、Ｎｏ側へ進んでステップＳ５０６１を経てステップＳ５０６１２で改めてタイマを作動させて以降ステップＳ５０６２からステップＳ５０６１２までの処理を繰り返し、ステップＳ５０６２でタイマの経過時間が設定時間を越えたと判定したらＮｏ側へ進んでステップＳ５０７でタイミングジェネレータ１１１に指示して電子シャッタをＣＣＤ１２０に設定させて撮影処理を実行させる。次のステップＳ５０８でセルフモードが解除されているかどうかを判定してセルフモード撮影が解除されていないと判定したらステップＳ５０１に戻ってステップＳ５０１からステップＳ５０８までのフローの処理を繰り返し、ステップＳ５０８でセルフモード撮影処理が解除されていると判定したらＹｅｓ側へ進んでセルフ撮影モードから抜ける。
【００９８】
このような構成にすると、被写体である撮影者が、撮影者自らが予め設定した基準位置に近づいた後、その基準位置から再び遠ざかるようなことが起きたときにはタイマが一旦停止され、撮影者が再びその基準位置に近づいたときにタイマが再起動されタイムアップ後に撮影が行なわれるようになるので撮影に失敗することがほぼなくなる。さらにタイマが改めて設定されて再起動されることによって撮影までの間に時間の猶予が被写体である撮影者に与えられるので、撮影者はゆっくりと表情を整えてから撮影を受けることが可能となる。
【００９９】
以上説明した様に、撮影時に、撮影前に決定した構図に撮影者を導いてから撮影が確実に行なわれる撮影装置が実現する。
【０１００】
上記実施形態では、４つのＬＥＤ１９１〜１９４に、撮影者に移動方向を視認させるための方向指示手段の一部を構成させたが、上記のように４つのＬＥＤを用いる必要はなく、光るものであれば蛍光体、ＬＣＤ、ランプなどであっても良い。
【０１０１】
図１０は、別の方向指示手段の構成例を示す図である。
【０１０２】
図１０（ａ）に示す様に、４つのランプを円状の、９０度ずれた位置にそれぞれ配備して、それらを点灯させる構成にしても良く、図１０（ｂ）に示す様に、小型ＬＣＤを用いて矢印のいずれかの方向を点灯させても良く、また図１０（ｃ）に示す様にＥＬディスプレイを使っていずれかの位置にある蛍光体を発光させても良く、また図１０（ｄ）に示す様にドットパターンの表示部を構成して方向を示す部分を点灯させても良い。
【図面の簡単な説明】
【０１０３】
【図１】本発明の撮影装置の一実施形態であるデジタルカメラを示す図である。
【図２】図１のデジタルカメラ１００内部の電気系統の構成ブロック図である。
【図３】構図指定手段の機能を説明する図である。
【図４】セルフ撮影モードにおける本処理の処理を説明する処理系統図である。
【図５】セルフ撮影モードにおける撮影処理を説明するフローチャートである。
【図６】フレームアウトしたことを撮影者に通知するステップＳ５０３１を付加した場合のフローの処理を説明するフローチャートである。
【図７】ステップＳ５０３１の処理を全点灯から全消灯に変更した例を示すフローチャートである。
【図８】図５のフローに、さらにセルフタイマを作動させるステップＳ５０６１を付加した場合の撮影処理を説明するフローチャートである。
【図９】タイマストップの処理ステップを付加した場合の処理を説明する図である。
【図１０】別の方向指示手段の構成例を示す図である。
【符号の説明】
【０１０４】
１００  デジタルカメラ
１０１  操作子群
１０１ａ    電源スイッチ
１０１ｂ    十字キー
１０１ｃ    メニュー／ＯＫキー
１０１ｄ  キャンセルキー
１０１ｅ    モードレバー
１０１ｆ    ズームスイッチ
１０２  レリーズ釦
１０５  ファインダ
１１０    ＣＰＵ
１１１    タイミングジェネレータ
１２０    ＣＣＤ
１２１    ＣＤＳＡＭＰ
１２２    Ａ／Ｄ変換部
１２３    画像入力コントローラ
１２４    メモリ（ＳＤＲＡＭ）
１２５    画像信号処理部
１２６    ＶＲＡＭ
１２７    ＶｉｄｅｏＥｎｃｏｄｅｒ
１２８    圧縮処理部
１２９      メディアＣｏｎｔｒｏｌｌｅｒ
１５      画像表示装置
１５０    表示画面
１６０    記録媒体
１８０    顔位置検出手段
１８１    評価値算出手段
１９０    ＬＥＤ制御部
１９１〜１９４    ＬＥＤ
【図１】
2009055449.tif 000003
【図２】
2009055449.tif 000004
【図３】
2009055449.tif 000005
【図４】
2009055449.tif 000006
【図５】
2009055449.tif 000007
【図６】
2009055449.tif 000008
【図７】
2009055449.tif 000009
【図８】
2009055449.tif 000010
【図９】
2009055449.tif 000011
【図１０】
2009055449.tif 000012